【事件の表示】
　特願２０１９−　２９２２６「光パルス試験器及び光パルス試験器の表示方法」拒絶査定不服審判事件〔令和　１年　７月１１日出願公開、特開２０１９−１１３５６１、請求項の数（７）〕について、次のとおり審決する。
【結　論】
　原査定を取り消す。
　本願の発明は、特許すべきものとする。
【理　由】
第１　手続の経緯
　本件出願（以下「本願」という。）は、平成２７年（２０１５年）１２月８日を出願日とする特願２０１５−２３９７５３号の一部を、新たな出願として平成３１年（２０１９年）２月２１日に特許出願したものであって、令和元年１１月２９日付けで拒絶理由が通知され、令和２年２月６日に手続補正がなされるとともに意見書が提出されたが、同年７月２０日付け（送達日：同年８月４日）で拒絶査定がなされたところ、これに対し、同年１０月２３日に拒絶査定不服審判請求がなされ、同時に手続補正（以下「本件補正」という）がなされたものである。
第２　原査定の概要 
　原査定の概要は、次のとおりである。 
　本願請求項１〜７に係る発明は、以下の引用文献１〜３に記載された発明に基づいて、その発明の属する技術の分野における通常の知識を有する者が容易に発明できたものであるから、特許法第２９条第２項の規定により特許を受けることができない。
　引用文献等一覧 
１　ＡＱ７２８０ ＯＴＤＲ ユーザーズマニュアル　２版　（２０１５年３月　発行）
　横河メータ＆インスツルメンツ株式会社　ｐ．２−１７〜２−２２，ｐ．２−４６〜２−４８
２　特開２０１３−１３４６１３号公報
３　特開平０２−３０７０３２号公報
（以下、それぞれ「引用文献１」〜「引用文献３」という。）
第３　本願発明
　本件補正は、特許請求の範囲の請求項１および７について，補正前の特定構成である「アイコン」について「該イベントの障害の種類に応じた図柄を付して」と限定することを含むものであって，特許法第１７条の２第５項第２号に規定されている、特許請求の範囲の減縮を目的とするものに該当する。そして，本願明細書の段落【００２０】に「図２に、本実施形態に係る画面構成例を示す。イベント表示領域ＡＩＶに、被測定光ファイバ９２上で連続する３以上のイベントＩｖ１８〜Ｉｖ２４のアイコンが表示されている。各アイコンは、光線路を示す直線で接続されている。
アイコンには、障害の種類に応じた図柄が付される
　してみると、本件補正は認められるから、本願の請求項１〜７に係る発明（以下、それぞれ「本願発明１」〜「本願発明７」という）は、本件補正により補正された特許請求の範囲の請求項１〜７に記載された事項により特定される発明であるところ、本願発明１および７は以下のとおりである。（なお，下線部が補正箇所である）
「【請求項１】
　被測定光ファイバに光パルスを入射し、光パルスが前記被測定光ファイバで反射又は散乱された戻り光を受光してＯＴＤＲ波形を測定する測定部と、
　前記ＯＴＤＲ波形を解析して前記戻り光の強度が変化するイベントを検出するイベント検出部と、
　前記イベントを示す複数個のアイコンを、イベント表示領域に前記被測定光ファイバにおけるイベントの発生順に、
該イベントの障害の種類に応じた図柄を付して
　前記イベント表示領域におけるスワイプ操作および前記アイコン上でのタップ操作を検出する操作検出部と、
　前記操作検出部が検出したスワイプ操作で定められる方向に前記イベント表示領域に表示するアイコンを移動させるとともに、当該スワイプ操作に加えての操作なく前記特定領域に位置するアイコンが示すイベントごとに前記情報表示領域に表示する情報を変化させる注目イベント変更部と、
　を備え、
　前記注目イベント変更部はさらに、前記特定領域に位置していない所定のアイコンへのタップ操作が検出されたことを条件に、前記所定のアイコンを移動させて前記特定領域に移動させるとともに、前記所定のアイコンへの前記タップ操作に加えての操作なく前記所定のアイコンが示すイベントの情報を前記情報表示領域に表示する、
　光パルス試験器。
【請求項７】
　被測定光ファイバに光パルスを入射し、光パルスが前記被測定光ファイバで反射又は散乱された戻り光を受光してＯＴＤＲ波形を測定する測定手順と、
　前記測定手順のＯＴＤＲ波形を解析して、前記戻り光の強度が変化するイベントを検出するイベント検出手順と、
　前記イベントを示す複数個のアイコンを、表示部のイベント表示領域に前記被測定光ファイバにおけるイベントの発生順に、
該イベントの障害の種類に応じた図柄を付して
　前記イベント表示領域におけるスワイプ操作を検出すると、前記スワイプ操作で定められる方向に前記イベント表示領域に表示するイベントを移動させるとともに、当該スワイプ操作に加えての操作なく前記特定領域に位置するイベントごとに前記情報表示領域に表示する情報を変化させる、
且つ、前記特定領域に位置していない所定のアイコンへのタップ操作を検出すると、前記所定のアイコンを移動させて前記特定領域に移動させるとともに、前記所定のアイコンへの前記タップ操作に加えての操作なく前記所定のアイコンが示すイベントの情報を前記情報表示領域に表示する注目イベント変更手順と、
　を有する光パルス試験器の表示方法。」
　なお、本願発明２〜６は、本願発明１を限定的に減縮した発明である。
　　　
第３　引用文献の記載事項
１　本願の原出願の出願前に頒布され、原査定の拒絶理由に引用された引用文献１には、下記の事項が記載されている（下線は当審が付した。以下、同様）。
（１−ア）
「はじめに
　このたびは、
ＡＱ７２８０　ＯＴＤＲ(Optical Time Domain Reflectometer)
　このユーザーマニュアルは、本機器の機能、操作方法、取り扱い上の注意などについて　説明したものです。・・・・・」（ｉ頁１〜５行）
（１−イ）
「
ＯＴＤＲ機能の平均化測定を実行して、測定終了後に自動的にＯＴＤＲ機能のイベント解析をすることにより、光ファイバーケーブルの経路上の各種イベントを検出してアイコン表示する機能です。各イベントのアイコンと一緒にイベント解析結果が表示されます。
（１−ウ）
「測定の実行／停止
３．AVGキーを押します。平均化測定が開始され、測定実行中を示す画面が表示されます。
平均化測定が終了すると自動的に各イベントのアイコンと解析結果が表示されます。
４．
ロータリノブ＆ ENTER で、詳細表示するイベントのアイコンを選択します。選択されたイベントのアイコンが画面の中央に表示されます。
（１−エ）
「
イベントのアイコン画面
　
イベント画面で選択されているイベントを中央に表示し、接続損失と反射減衰量を表示
（１−オ）
「イベントのアイコン表示
　次のイベントをアイコン表示します。アイコンを囲む線の色は通常は灰色です。」（２−２１頁２〜３行）
（１−カ）
「
本機器の表示画面はタッチ操作に対応しています。画面上にはことタッチ操作で使用できる設定メニューや測定機能がいくつかあります。
（１−キ）
「表示レンジの設定
　
フリックすると、メニュー表示がスクロールします。
（１−ク）
「その他の便利な機能
　カーソル移動
　波形表示領域をシングルタップすると、タップした位置に直接カーソルを移動できます。また、カーソルをドラッグしても移動できます。
　マーカー設定
　カーソルをドラッグやシングルタップで移動すると、マーカーのショートカットアイコン（４点法）が表示されます。イベント解析画面では同様の操作をすると、イベントの追加／削除をするショートカットアイコンが表示されます。マーカーのソフトキーメニューを表示せず、直接マーカーの設定ができます。
　拡大・縮小
　波形表示領域をダブルタップすると、タップした位置を中心として波形表示を拡大できます。ダブルタップでは縦軸と横軸が同じ比率で拡大します。
　波形表示領域をピンチアウトすると、指を動かす方向により縦軸または横軸のどちらかを拡大できます。波形表示領域をピンチインすると、指を動かす方向により縦軸または横軸のどちらかを縮小できます。
　ショートカットの実行
　測定の実行／停止や、ファイルの保存などの機能をそれぞれの機能のソフトキーメニューを表示せずに、ショートカットのアイコン表示のタップで実行することができます。ショートカットのアイコン表示については、３．１節をご覧ください。」（２−４８頁　１〜１９行）
２　本願の原出願の出願前に頒布され、原査定の拒絶理由に引用された引用文献２には、下記の事項が記載されている。
（２−ア）
「【技術分野】
【０００１】
　
本発明は、画像処理装置及びプログラムに関する。
【背景技術】
【０００２】
　従来、プリント機能、スキャン機能、コピー機能、及びファクシミリ送受信機能などの各種機能を兼ね備えた複合機（ＭＦＰ；Ｍｕｌｔｉｆｕｎｃｔｉｏｎ　Ｐｅｒｉｐｈｅｒａｌ）において、タッチパネルディスプレイを備えるものが知られている。
このような複合機では、上述のような各種機能を利用するに当たって、タッチパネルディスプレイ上での利用者操作により、各種パラメータの設定変更を行うことができる
（２−イ）
【発明が解決しようとする課題】
【０００５】
　しかしながら、上述した技術では、画像処理装置の表示画面を有効に活用することが困難である。本明細書では、表示画面を有効に利用することができる技術を提供する。
（２−ウ）
「【００３１】
　タッチパネル部１６Ｃは、周知の方式（例えば静電容量方式など）で指先や操作子によるタッチ操作を検出可能な透明なフィルム状の入力デバイスである。このタッチパネル部１６Ｃは、液晶ディスプレイ部１６Ａ及び内照式表示部１６Ｂの表示面に重ねて配置されている。本実施形態においては、タッチパネル部１６Ｃによってタッチ操作が検出された際、タッチ操作されたタッチ位置に応じた出力信号が、タッチパネル部１６Ｃから制御部１１に出力される。
制御部１１は、出力信号に基づいて、そのタッチ操作が、ドラッグ操作やフリック操作などのスライド操作なのか、あるいはシングルタップ操作やダブルタップ操作などのタップ操作なのか、ピンチ操作なのか、を判断する。
制御部１１は、判断したタッチ操作の種類と位置とに対応する処理を実行する。
（２−エ）
【００３４】
　図１０に、プリセット設定組選択画面Ｐ２の表示例を示す。プリセット設定組選択画面Ｐ２は、基本画面Ｐ１の「コピー」アイコンＢ１２がタッチされた場合に、液晶ディスプレイ部１６Ａに表示される画面である。プリセット設定組選択画面Ｐ２は、液晶ディスプレイ部１６Ａの表示領域を、三つの領域２５Ａ、２５Ｂ、２５Ｃに分割した画面である。上段の領域２５Ａには、各種情報が表示される。
中段の領域２５Ｂは、複数の設定組アイコンや、左スクロールボタンＢ７１および右スクロールボタンＢ７２を表示する領域
【００３５】
　領域２５Ｂは、中央領域Ｌ１、右側近傍領域Ｌ３、左側近傍領域Ｌ２、を備える。中央領域Ｌ１の左側に左側近傍領域Ｌ２が位置しており、中央領域Ｌ１の右側に右側近傍領域Ｌ３が位置している。中央領域Ｌ１は、選択状態の設定組アイコンを表示する領域である。右側近傍領域Ｌ３および左側近傍領域Ｌ２は、非選択状態の設定組アイコンを表示する領域である。
図１０の表示例では、中央領域Ｌ１に設定組アイコンＢ４４が表示されている。設定組アイコンＢ４４の上側には、ＲＯＭ４２に記憶されている表示文字列Ｃ４＝「標準コピー」が表示される。
【００３６】
　右側近傍領域Ｌ３および左側近傍領域Ｌ２に表示される設定組アイコンの背景色は、通常色（黒色）とされる。一方、中央領域Ｌ１に表示される設定組アイコンの背景色は、通常色（黒色）と異なる特定色（青色）とされる。
また、中央領域Ｌ１に表示される設定組アイコンＢ４４の上部には、表示文字列Ｃ４が表示される。これにより、中央領域Ｌ１に表示される設定組アイコンＢ４４には、選択状態にあることを示すフォーカスが付与される。
【００３７】
　図１１に、プリセット設定組選択画面Ｐ２ａを示す。プリセット設定組選択画面Ｐ２ａは、図１０のプリセット設定組選択画面Ｐ２の領域２５Ｂをスクロールした状態の画面の表示例である。図１１のプリセット設定組選択画面Ｐ２ａの表示例では、中央領域Ｌ１に設定組アイコンＢ４５が表示される。設定組アイコンＢ４５の上側には、表示文字列Ｃ５＝「両面コピー（片面）」が表示される。左側近傍領域Ｌ２には、設定組アイコンＢ４４が表示される。右側近傍領域Ｌ３には、設定組アイコンＢ４６が表示される。
【００３８】
図１２に、詳細設定画面Ｐ３の表示例を示す。詳細設定画面Ｐ３は、プリセット設定組選択画面Ｐ２（図１０）やＰ２ａ（図１１）の詳細設定ボタンＢ６３がタッチされた場合に、液晶ディスプレイ部１６Ａに表示される画面である。詳細設定画面Ｐ３は、三つの領域２７Ａ、２７Ｂ、２７Ｃを備える。右の領域２７Ｃには、選択状態の設定組アイコンや、ＯＫボタンＢ６５が表示される。中央の領域２７Ｂには、スクロールバーが表示される。左の領域２７Ａには、領域２７Ｃに表示中の選択状態の設定組アイコンに対応する、複数の設定項目およびその設定値が表示される。
（２−オ）
【００５３】
　Ｓ４４８〜Ｓ４５６の処理例を、図１０および図１１の画面表示例を用いて説明する。図１０において、
右側近傍領域Ｌ３に表示されている設定組アイコンＢ４５がタッチされた場合
制御部１１は、右側近傍領域Ｌ３に位置していた、タッチされた設定組アイコンＢ４５を、中央領域Ｌ１に移動させる。
タッチされた設定組アイコンＢ４５が中央領域Ｌ１の位置に移動するように、設定組アイコンの列をスクロール表示する
図１０の表示画面から図１１の表示画面へ遷移する。
（２−カ）
【００５６】
　Ｓ４６６において、
タッチ位置の移動方向が、領域２５Ｂ内の右方向である場合には、右方向のフリック操作が入力されたと判断され
制御部１１は、領域２５Ｂに表示されている設定組アイコンを、右方向にスクロール表示する。
（２−キ）
【００７５】
［効果］　以上説明したように、上記複合機１によれば、選択状態の設定組アイコンを中央領域Ｌ１に選択状態態様で表示することにより（Ｓ４３０、Ｓ４３２、Ｓ４５６、Ｓ４８０、Ｓ５００、Ｓ５２０など）、その時点で選択されている設定組アイコンをユーザに認識させることが可能となる。また、中央領域Ｌ１に一つの設定組アイコンが表示されている状態で、残りの設定組アイコンのうちから設定組アイコンが選択されると、選択された設定組アイコンを中央領域Ｌ１に移動させるとともに（Ｓ４５４、Ｓ４６８、Ｓ４７０、Ｓ４９４、Ｓ４９６、Ｓ５１０など）、選択された設定組アイコンを示す情報（例：アイコンの識別ＩＤ）を、新たな選択状態の設定組アイコンを示す情報としてＲＡＭ４３に記憶させるとともに、選択された設定組アイコンを選択状態態様で表示させることができる（Ｓ４５６、Ｓ４８０、Ｓ５００、Ｓ５２０など）。これにより、選択状態の設定組アイコンおよび非選択状態の設定組アイコンのうちから何れかの設定組アイコンを選択する操作を受け付ける領域（領域２５Ｂ、図１０）を用いて、選択状態の設定組アイコンをユーザに認識させることができる。よって、設定組アイコンが選択状態である旨の情報を、他の領域に別途表示する場合などに比して、表示画面を有効に利用することが可能となる。
（２−ク）
【００８０】
上記複合機１によれば、詳細設定ボタンＢ６３（図１０、図１１）がタッチされることに応じて、選択状態の設定組アイコンを、中央領域Ｌ１から退避位置Ｌ４へ移動させることができる（Ｓ５４８、図１２）。これにより、表示手段の表示画面の中央付近に、設定項目および設定値を一覧表示させるためのスペースを形成することが可能となる。
（２−ケ）
【００８９】
また、上記実施形態では、複合機１が備える制御部１１及び操作パネル部１６により、上述の各種表示及び各種入力の受け付けを実現する例を示したが、
複合機１とパーソナルコンピュータ（ＰＣ）やスマートフォンなどの情報処理装置とを接続した場合は、それらの情報処理装置が備える制御部、表示部、及び入力部を利用して、上述の各種表示及び各種入力の受け付けを実現することも可能である。
第４　引用発明
１　引用発明１
（１）本願明細書の段落【０００２】に「光ファイバ線路の障害点を検出する
光パルス試験器として、ＯＴＤＲ(Optical Time Domain Reflectometer)
ＯＴＤＲ
（２）上記記載事項（１−イ）の「
ＯＴＤＲ機能
測定を実行
光ファイバーケーブルの経路上の各種イベントを検出
イベント解析
（３）上記記載事項（１−ウ）の「平均化測定が終了すると自動的に
各イベントのアイコン
アイコン画面
イベントを中央に表示し、接続損失と反射減衰量を表示
（４）上記記載事項（１−カ）の「本機器の
表示画面はタッチ操作に対応
フリック
（５）上記記載事項（１−ウ）の「ロータリノブ＆ ENTER で、詳細表示するイベントの
アイコンを選択
選択されたイベントのアイコンが画面の中央に表示
アイコン画面
中央に表示
接続損失と反射減衰量
（６）上記（１）〜（５）によれば，引用文献１には，次の発明が記載されているものと認められる。
「光ファイバーケーブルに光パルスを入射し、該光パルスが前記光ファイバーケーブルで反射又は散乱された戻り光を受光してＯＴＤＲ波形を測定する測定部と、
　前記ＯＴＤＲ波形を解析して前記戻り光の強度が変化するイベントを検出するイベント検出部と、
　前記イベントを示す複数個のアイコンを、アイコン画面に光ファイバーケーブルにおけるイベントの発生順に、該イベントの種類に応じた図柄を付して表示し、前記アイコン画面内の中央に位置するアイコンが示すイベントの接続損出と反射減衰量をアイコン画面の中央下方に表示する表示部と、
　表示画面におけるタップあるいはフリックのタッチ操作を検出する操作検出部と、
　ロータリノブ＆ ENTERの操作により、イベント画面にて選択されるイベントおよび前記アイコン画面に表示するアイコンを移動させるとともに、前記アイコン画面の中央に位置するアイコンが示すイベントごとに前記アイコン画面の中央下方に表示する接続損失と反射減衰量を変化させる変更部を備える
光パルス試験器。」（以下「引用発明１」という。）
２　引用発明２
（１）上記記載事項（２−ア）の「【０００１】本発明は、
画像処理装置
タッチパネルディスプレイ上での利用者操作により、各種パラメータの設定変更を行う
（２）上記記載事項（２−ウ）の「
制御部
タッチ操作
ドラッグ操作
フリック操作
スライド操作
シングルタップ操作
ダブルタップ操作
タップ操作
ピンチ操作
判断したタッチ操作の種類と位置とに対応する処理を実行
（３）上記記載事項（２−エ）の「【００３４】・・・・・
中段の領域
複数の設定組アイコン
左スクロールボタン
右スクロールボタン
中央領域Ｌ１に設定組アイコンＢ４４
表示文字列Ｃ４＝「標準コピー」
（４）上記記載事項（２−オ）の「右側近傍領域Ｌ３に表示されている設定組アイコンＢ４５がタッチされた場合」、「制御部１１は、右側近傍領域Ｌ３に位置していた、タッチされた設定組アイコンＢ４５を、中央領域Ｌ１に移動させる。」、「
タッチされた設定組アイコンＢ４５が中央領域Ｌ１の位置に移動するように、設定組アイコンの列をスクロール表示する
図１０の表示画面から図１１の表示画面へ遷移
（５）上記記載事項（２−カ）の「タッチ位置の移動方向が、領域２５Ｂ内の右方向である場合には、右方向のフリック操作が入力されたと判断され・・・・・制御部１１は、領域２５Ｂに表示されている設定組アイコンを、右方向にスクロール表示する。」からみて，引用文献２には「フリック操作が入力されたと判断されると、中断の領域に表示されている設定組アイコンを、該フリック操作の方向にスクロール表示する」ことが記載されているといえる。
（６）上記記載事項（２−エ）の「【００３８】図１２に、
詳細設定画面
詳細設定ボタンＢ６３がタッチされた場合
複数の設定項目およびその設定値が表示
（７）上記（１）〜（６）によれば，引用文献２には，次の発明が記載されていると認められる。
「タッチパネルディスプレイ上での利用者操作により、各種パラメータの設定変更を行う画像処理装置であって、
　タッチパネルの出力信号に基づいて、そのタッチ操作が、ドラッグ操作やフリック操作などのスライド操作なのか、あるいはシングルタップ操作やダブルタップ操作などのタップ操作なのか、ピンチ操作なのか、を判断し、判断したタッチ操作の種類と位置とに対応する処理を実行する制御部を備え、
　プリセット設定組選択画面において、中段の領域に複数の設定組アイコンや左スクロールボタンおよび右スクロールボタンを表示し、該中段の領域の中央領域に表示される設定組アイコンの上部に表示文字列が表示される
　前記制御部は、タッチされた設定組アイコンが前記中央領域の位置に移動するように、前記設定組アイコンの列をスクロール表示するとともに、前記表示文字列を変更する
　フリック操作が入力されたと判断されると、前記中断の領域に表示されている前記設定組アイコンを、該フリック操作の方向にスクロール表示し，
　下段の領域にある詳細設定ボタンがタッチされた場合に、詳細設定画面に切り替え、選択状態の前記設定組アイコンに対応する複数の設定項目およびその設定値を表示する
画像処理装置。」
（以下「引用発明２」という。）
第５　対比・判断
１　本願発明１について
（１）対比
ア　技術常識からみて、引用発明１の「光ファイバーケーブル」は，本願発明１の「被測定光ファイバ」に相当するといえる。
イ　本願明細書の段落【００１９】に「ここで、イベントは、戻り光の強度が変化する任意の障害点である。任意の障害は、例えば、コネクタ、分岐、曲げ、融着である。」と記載され、一方、引用発明１の「イベント」も、引用文献２−２１頁上図からみて、「開始点」、「融着点」、「光スプリッター」、「曲げ損失（マイクロベンディング）」、「コネクタ（反射減衰量）」および「終了点」を意味しているから、引用発明１の「前記イベントを示す複数個のアイコンを・・・・・該イベントの種類に応じた図柄を付して表示」することは、本願発明１の「前記イベントを示す複数個のアイコンを・・・・・該イベントの障害の種類に応じた図柄を付して表示」に相当するといえる。そうすると、引用発明１の「アイコン画面」は，本願発明１の「イベント表示領域」に相当するといえる。
　また、本願明細書の段落【００２２】に「表示部１３は、情報表示領域ＡＩＮＦに、注目イベントの情報を表示する。例えば、注目イベントがイベントＩｖ２１の場合、ＣＰＵ１２は、被測定光ファイバ９２の入射端又は遠端からイベントＩｖ２１までの距離、
イベントＩｖ２１での反射減衰量、イベントＩｖ２１での損失値
ウ　本願発明１の「スワイプ操作」および「タップ操作」も「タッチ操作」の一種であり、本願発明１の「イベント表示領域」は，表示画面の一部であるから，引用発明１の「表示画面におけるタップあるいはフリックのタッチ操作を検出する操作検出部」と，本願発明１の「記イベント表示領域におけるスワイプ操作および前記アイコン上でのタップ操作を検出する操作検出部」とは、「表示画面におけるタッチ操作を検出する操作検出部」の点にて一致するといえる。
エ　引用発明１の「アイコン画面の中央に位置するアイコンが示すイベント」が本願発明１の「注目イベント」に相当することは明らかであり，引用発明１の「ロータリノブ＆ ENTERの操作」と本願発明１の「操作検出部が検出したスワイプ操作」とは，「アイコン」を移動させる点で共通し，上位概念である「ユーザ操作」の点で一致するといえる。そうすると，引用発明１の「ロータリノブ＆ ENTERの操作により、イベント画面にて選択されるイベントおよび前記アイコン画面に表示するアイコンを移動させるとともに、前記アイコン画面の中央に位置するアイコンが示すイベントごとに前記アイコン画面の中央下方に表示する接続損失と反射減衰量を変化させる変更部」と本願発明１の「前記操作検出部が検出したスワイプ操作で定められる方向に前記イベント表示領域に表示するアイコンを移動させるとともに、当該スワイプ操作に加えての操作なく前記特定領域に位置するアイコンが示すイベントごとに前記情報表示領域に表示する情報を変化させる注目イベント変更部」とは，「ユーザ操作で定められる方向に前記イベント表示領域に表示するアイコンを移動させるとともに、前記特定領域に位置するアイコンが示すイベントごとに前記情報表示領域に表示する情報を変化させる注目イベント変更部」の点で一致するといえる。
オ　上記ア〜エを総合すると，本願発明１と引用発明１とは，
（一致点）
「被測定光ファイバに光パルスを入射し、光パルスが前記被測定光ファイバで反射又は散乱された戻り光を受光してＯＴＤＲ波形を測定する測定部と、
　前記ＯＴＤＲ波形を解析して前記戻り光の強度が変化するイベントを検出するイベント検出部と、
　前記イベントを示す複数個のアイコンを、イベント表示領域に前記被測定光ファイバにおけるイベントの発生順に、該イベントの障害の種類に応じた図柄を付して表示し、前記イベント表示領域内の特定領域に位置するアイコンが示すイベントの情報を情報表示領域に表示する表示部と、
　表示画面におけるタッチ操作を検出する操作検出部と、
　ユーザ操作で定められる方向に前記イベント表示領域に表示するアイコンを移動させるとともに、前記特定領域に位置するアイコンが示すイベントごとに前記情報表示領域に表示する情報を変化させる注目イベント変更部とを備える、
光パルス試験器。」
の点で一致し，以下の点で相違するものと認められる。
　　　
（相違点１）
「操作検出部」が、本願発明１では「前記イベント表示領域におけるスワイプ操作および前記アイコン上でのタップ操作を検出する」のに対し，引用発明１では，「表示画面」において「タッチ操作」を検出するものの，「アイコン画面」において「スワイプ操作およびアイコン上でのタップ操作を検出する」ものではない点。
（相違点２）
「注目イベント変更部」が，本願発明１では「前記操作検出部が検出したスワイプ操作で定められる方向に前記イベント表示領域に表示するアイコンを移動させるとともに、当該スワイプ操作に加えての操作なく・・・・・情報を変化させ」さらに「前記注目イベント変更部はさらに、前記特定領域に位置していない所定のアイコンへのタップ操作が検出されたことを条件に、前記所定のアイコンを移動させて前記特定領域に移動させるとともに、前記所定のアイコンへの前記タップ操作に加えての操作なく前記所定のアイコンが示すイベントの情報を前記情報表示領域に表示する」のに対し，引用発明１では、「スワイプ操作」や「タップ操作」とは全く異なる「ロータリノブ＆ ENTERの操作」により、「イベント画面にて選択されるイベントおよびアイコンを移動させとともに・・・・・接続損失と反射減衰量を変化させる」である点。
（２）相違点についての判断 
　事案に鑑みて、すなわち、請求人の主張を鑑みて、上記相違点２について検討する。
　まず、相違点２における本願発明１の構成と引用発明２とを比較すると、前者が「光パルス試験器」であるのに対し後者が「画像処理装置」であって、両発明は技術分野を異にするものの、両発明の「表示部（表示画面）」は、「表示領域に図柄を付した複数のアイコンを一列に表示し、該表示領域をスワイプ（フリック）操作あるいはタップ操作のタッチ操作により、上記アイコンを移動するスクロール表示が可能である」点で類似しているといえる。しかしながら、前者の「アイコン」は、「ＯＴＤＲ波形を解析して戻り光の強度が変化するイベント」に対応し、「イベントの発生順」に表示されるものであって、表示順序が設定固定された後者の「アイコン」とは、
表示形態が大きく異なる
イベントの情報
後者の「表示文字列（識別ＩＤ）」は、前者の「イベントの情報」に相当するものではないといえる。
「イベントの情報」に対応するのは
「詳細設定画面」に表示される「設定値」である
　次に、相違点２における引用発明１の構成と引用発明２とを比較すると、本願発明１の場合と同様に、
両発明は技術分野を異にする
表示形態が大きく異なる
後者の「表示文字列（識別ＩＤ）」は、引用発明１の「イベントの接続損出と反射減衰量」に相当せず、
　そうすると、
引用発明１の表示画面と引用発明２の表示画面とは、その基本的な表示形態を異にしており
別画面に切り替えて表示する
　また、引用文献１の上記記載事項（１−キ）の「表示レンジの設定　
フリック
メニュー表示がスクロール
　なお、引用文献２の上記記載事項（２−ケ）の「複合機１と
パーソナルコンピュータ（ＰＣ）やスマートフォンなどの情報処理装置
　さらに，引用文献３には「光パルス試験器において、表示画面上で被測定光線路上の２点を選択し、２点間の距離及び損失を算出して、同表示画面上に表示する」ことが記載されているものの，相違点２の上記判断に影響しないことは，明らかである。
　してみると，引用文献２，３の記載を考慮しても，引用発明１において，相違点２における本願発明１の構成とする、特に、「当該スワイプ操作に加えての
操作なく
情報を変化させる
操作なく
イベントの情報を
表示する
（３）効果について
　そして，本願発明１は，相違点２により，本件出願明細書の段落【００１５】に記載された「本発明によれば、直感的な操作で注目イベントの変更が可能であるとともに、
イベントの数が多くなった場合であっても効率的な障害点の確認が可能
（４）まとめ
　したがって，本願発明１は，相違点１について検討するまでもなく、引用発明１ないし２および引用文献２ないし３記載の事項に基づいて当業者が容易に発明をすることができたものではない。
２　本願発明２〜６について
　本願発明２〜６は，本願発明１を技術的に限定的に減縮した発明であるから，本願発明１と同じ理由により，引用発明１ないし２および引用文献２ないし３記載の事項に基づいて当業者が容易に発明をすることができたものではない。
３　本願発明７について
　本願発明７は、「光パルス試験器」である本願発明１の各「部」の動作を手順に置き換え，「表示方法」として特定し、「発明のカテゴリー」を「物」から「方法」へ変更したものであって、実質的に，両発明の技術的内容は、同一であるといえる。
　そうすると、本願発明１が引用発明１ないし２および引用文献２ないし３記載の事項に基づいて当業者が容易に発明をすることができたものではないのであるから、本願発明７も同様に、引用発明１ないし２および引用文献２ないし３記載の事項に基づいて当業者が容易に発明をすることができたものではない。
第６　むすび
　以上のとおり，本願発明１〜７は，引用発明１ないし２および引用文献２ないし３記載の事項に基づいて当業者が容易に発明をすることができたものではない。
　したがって，原査定の理由によっては、本願を拒絶することはできない。
　また，他に本願を拒絶すべき理由を発見しない。
　よって，結論のとおり審決する。